(57)【要約】【課題】固定設置型の復古調の趣ある外観を有しながら分解組み立てが可能で持ち運びもできる屋外調理装置を提供する。【解決手段】屋外用調理装置（Ａ）は、着脱可能に組み合わせて背面壁（１５）と両側面壁（１６，１７）を有しかまど（１）をつくることができるユニットブロック（１１，１２，１３，１４．．．）と、かまど（１）の背面壁（１５）と両側面壁（１６，１７）が倒れないように固定できる着脱可能な壁部固定部材（２，２ａ，２ｂ）と、調理用の熱源を載せるための着脱可能な熱源用受け部材（３）と、熱源用受け部材（３）の上方に着脱可能に設けられ、熱で食材を調理することができる調理用部材（４）を備えている。ユニットブロックは、ブロック本体（１０１）の表面に化粧タイル（１０２）を張った煉瓦造りの外観を有している。熱源用受け部材（３）は、かまど（１）の上部開口部（１０）よりやや下方に設けられ植栽用プランタを載置できる強度を有しており、調理装置として使用しないときにはガーデニング用器具として使用できる。【選択図】　　　　図１
2004073679.tif 000002
【特許請求の範囲】
【請求項１】
相互に着脱可能に組み合わせて、背面壁（１５）と両側面壁（１６，１７）を有し前部側と上部側は開口しているかまど（１）をつくることができる複数のユニットブロック（１１，１２，１３，１４，１１ａ，１２ａ，１３ａ，１４ａ，１１ｂ，１２ｂ，１３ｂ，１４ｂ）と、
ユニットブロックでかまど（１）をつくったときに背面壁（１５）と両側面壁（１６，１７）が倒れないようにまたはずれないように固定できる着脱可能な壁部固定手段（２，２ａ，２ｂ）と、
調理用の熱源を載せるための着脱可能な熱源用受け部材（３）と、
熱源用受け部材（３）の上方に着脱可能に設けられ、熱で食材を調理することができる調理用部材（４）と、
を備えていることを特徴とする、
屋外用調理装置。
【請求項２】
ユニットブロックは、ブロック本体（１０１）の表面に化粧板（１０２）を張った煉瓦造りの外観を有していることを特徴とする、
請求項１記載の屋外用調理装置。
【請求項３】
ユニットブロックでかまど（１）をつくったときの上部開口部（１０）縁部に着脱可能で、トレーを載せる載置部（５４）と、調理用部材（４）を載せる載置部（５３）と、食材を刺した串を受けるための串受部（５５）のうち、何れか一つまたは複数を備えている受装置（５，５ａ）を有することを特徴とする、
請求項１または２記載の屋外用調理装置。
【請求項４】
熱源用受け部材（３）は、ユニットブロックでかまど（１）をつくったときの上部開口部（１０）よりやや下方に設けられるようにしてあり、熱源用受け部材（３）及びそれを支持する部分（２ａ）は、植物を植栽したプランタを載置できる強度を有していることを特徴とする、
請求項１、２または３記載の屋外用調理装置。
【発明の詳細な説明】
【０００１】
【発明の属する技術分野】
本発明は、屋外用調理装置に関するものである。更に詳しくは、固定設置型のような復古調の趣ある外観を有しながら分解組み立てが可能で持ち運びもでき、また調理装置として使用しない時季には花等を植栽するガーデニング用器具としても使用可能なものに関する。
【０００２】
【従来技術】
キャンプやハイキング等、屋外での活動が多くなる夏の時季には、多人数で一緒に食事をするために、いわゆるバーベキュー等の屋外調理が好んで行われている。また、近年においては、一般の家庭において庭やベランダでバーベキューを行うことは一般化しつつある。
【０００３】
このような屋外調理装置としては、固定設置型と移動可能型の二つのタイプがある。
移動可能型のものは、鉄板等を使用して分解組み立てができるようにつくられたもので、必要なときに倉庫等から出して庭やキャンプ地等に簡単に設置できる。
また、固定設置型のものは、例えば登録実用新案公報第３０００４２６号に記載されたような煉瓦やコンクリートブロックを積んで庭につくり付けられるもので分解組み立てができる構造とはなっていない。
【０００４】
【発明が解決しようとする課題】
しかしながら、上記した従来の屋外調理装置には、次のような課題があった。
すなわち、移動可能型のものは、鉄板等を使用して分解組み立てが容易にできるように、どちらかといえば簡易的につくられているため、持ち運びや保管には便利であるが、外観的にいかにも安っぽい感じは否めない。
【０００５】
また、煉瓦等でつくられた上記公報に記載されたような固定設置型のものは、外観的にも安っぽい感じはなく、復古調の趣ある雰囲気をつくることができる。しかし、上記したように分解組み立てができないために移設も困難である。つまり、固定設置型のものは、せっかく雰囲気よくつくっても、調理装置として使用するのは夏の時季のわずか数ヶ月であり、それ以外のほとんどの時季には庭に置き去られたようになってしまうので邪魔になるだけである。
【０００６】
そこで、本発明者は、固定設置型のような復古調の趣ある外観を有し、かつ分解組み立てが可能であれば上記課題が解決できることに着目し、様々な試行を繰り返して本発明を完成させたのである。
【０００７】
本発明の目的は、固定設置型の復古調の趣ある外観を有しながら分解組み立てが可能で持ち運びもできる屋外調理装置を提供することである。
本発明の他の目的は、調理装置として使用しない時季には花等を植栽するガーデニング用器具としても使用可能な屋外調理装置を提供することである。
【０００８】
【課題を解決するための手段】
上記課題を解決するために講じた本発明の手段は次のとおりである。
第１の発明にあっては、
相互に着脱可能に組み合わせて、背面壁と両側面壁を有し前部側と上部側は開口しているかまどをつくることができる複数のユニットブロックと、
ユニットブロックでかまどをつくったときに背面壁と両側面壁が倒れないようにまたはずれないように固定できる着脱可能な壁部固定手段と、
調理用の熱源を載せるための着脱可能な熱源用受け部材と、
熱源用受け部材の上方に着脱可能に設けられ、熱で食材を調理することができる調理用部材と、
を備えていることを特徴とする、
屋外用調理装置である。
【０００９】
第２の発明にあっては、
ユニットブロックは、ブロック本体の表面に化粧板を張った煉瓦造りの外観を有していることを特徴とする、
第１の発明に係る屋外用調理装置である。
【００１０】
第３の発明にあっては、
ユニットブロックでかまどをつくったときの上部開口部縁部に着脱可能で、トレーを載せる載置部と、調理用部材を載せる載置部と、食材を刺した串を受けるための串受部のうち、何れか一つまたは複数を備えている受装置を有することを特徴とする、
第１または第２の発明に係る屋外用調理装置である。
【００１１】
第４の発明にあっては、
熱源用受け部材は、ユニットブロックでかまどをつくったときの上部開口部よりやや下方に設けられるようにしてあり、熱源用受け部材及びそれを支持する部分は、植物を植栽したプランタを載置できる強度を有していることを特徴とする、
第１、第２または第３の発明に係る屋外用調理装置である。
【００１２】
ユニットブロックは、耐熱性または耐火性を有するものであれば、その材料については特に限定するものではない。例えば、コンクリート、煉瓦、石等である。また、ユニットブロックは、例えば煉瓦造り構造や石造り構造等の外観を有するようにつくられるが、これらに限定されるものではなく、単に鉄板でつくったような安っぽさがなければ、上記と異なる外観を有していてもよい。
【００１３】
ユニットブロックは、ある形状のブロックを複数接合してつくられていてもよいし、ある形状のブロックを単数使用してつくられていてもよいし、一般的大きさのコンクリートブロック数個分の大きさのブロックでつくられていてもよい。
【００１４】
ユニットブロックを組み合わせるために、例えば嵌合手段、係合手段、差し込み手段、引っ掛け手段等が利用できる。上記の内の一つの手段を利用してもよいし、複数の手段を併用することもできる。また、上記手段は、ユニットブロックそのものに設けてもよいし、例えばボルト・ナットのような別に用意した固定具等を利用することもできる。
【００１５】
壁部固定手段は、例えば壁部同士の相互の間隔が変わらないように部材で連結する構造、壁部と設置面（地面）との間につっかい棒のような部材や横板のようなスタンド部材を設けて各壁部が動かないようにする構造等が採用されるが、上記に限定されるものではなく、他の公知手段を採用することもできる。
【００１６】
熱源用受け部材は、例えば炭、薪等、燃焼させて熱源とするものを載せることができる耐火性のものであれば、その材料、形状は特に限定されるものではない。例えば通気性が良好な金属製の網体（格子体を含む）、同じく金属製の波板、多数の穴が開いた金属製の板等である。
【００１７】
調理用部材は、例えば鉄板のような金属製の板、中華鍋やフライパンのような比較的薄い鍋状のもの、焼き網のような金属製の網体（格子体を含む）等であるが、これらに限定はされない。
【００１８】
（作用）
本発明に係る屋外用調理装置は、ユニットブロックを相互に組み合わせて、背面壁と両側面壁を有し前部側と上部側は開口しているかまどをつくることができる。ユニットブロックでつくられた背面壁と両側面壁は、壁部固定手段によって倒れたりずれることがないように固定できる。
そして、かまど内部に設けた熱源用受け部材に炭や薪を載せて燃焼させて調理用の熱源とし、熱源用受け部材の上方にある調理用部材によって食材を調理することができる。
【００１９】
また、屋外用調理装置は、ブロック本体の表面に化粧板を張った煉瓦造りの外観を持たせることにより、かまどをつくったときの外観が煉瓦造りに見えるので、屋外用調理装置に対し、煉瓦造り特有の存在感と復古調のより趣ある雰囲気を与えることができ、鉄板でつくったような安っぽさはない。
【００２０】
更には、このような外観を有していながら分解組み立てが可能であり、分解した状態では比較的容易に運搬できるので、必要なときに庭やキャンプ等地で組み立てて使用することができる。また、冬季等使用しない時季には、邪魔にならないように倉庫等に保管することができる。
【００２１】
ユニットブロックでかまどをつくったときの上部開口部縁部に着脱可能で、トレーを載せる載置部と、調理用部材を載せる載置部と、食材を刺した串を受けるための串受部のうち、何れか一つまたは複数を備えている受装置を有するものは、食材を盛ったトレーを置いたり、串を手に持たずに調理できたり、調理用部材の取り替えや掃除も簡単にできるので、調理をする際の使い勝手にすぐれている。
【００２２】
熱源用受け部材は、ユニットブロックでかまどをつくったときの上部開口部よりやや下方に設けられるようにしてあり、熱源用受け部材及びそれを支持する部分は、植物を植栽したプランタを載置できる強度を有しているものは、例えば屋外用調理装置を使用しない時季においても、組み立てたまま庭等に置いておき、植物を植栽したプランタを載せて植栽物である花等を飾ることができるので、ガーデニング用器具として利用することもできる。この場合は、調理装置として使用しない時季にも保管する手間がかからず、保管用のスペースも必要ない。
【００２３】
【発明の実施の形態】
本発明を図面に示した実施の形態に基づき更に詳細に説明する。
図１は本発明に係る屋外用調理装置の一実施の形態を示す斜視図、
図２は屋外用調理装置の下段部を組み立てた状態を示す説明図、
図３は屋外用調理装置の中段部まで組み立てた状態を示す説明図、
図４は固定部材の係合構造を示す説明図である。
【００２４】
屋外用調理装置Ａは、かまど１をつくることができる複数のユニットブロック１１、１２、１３、１４（下段部）、１１ａ、１２ａ、１３ａ、１４ａ（中段部）、１１ｂ、１２ｂ、１３ｂ、１４ｂ（上段部）と、かまど１の背面壁１５と両側面壁１６、１７が倒れないように固定できる壁部固定部材２（下段部）、２ａ（中段部）、２ｂ（上段部）と、調理用の熱源となる炭を載せるための熱源用受け部材３と、熱で食材を調理することができる調理用部材４と、かまど１の上部開口部縁部に設けられる受装置５、５ａを備えている。
【００２５】
上記各部について詳細に説明する。
ユニットブロックは、ユニットブロック１１、１２、１３、１４（下段部）、１１ａ、１２ａ、１３ａ、１４ａ（中段部）、１１ｂ、１２ｂ、１３ｂ、１４ｂ（上段部）で構成されている。これら下段部のユニットブロック１１、１２、１３、１４、中段部のユニットブロック１１ａ、１２ａ、１３ａ、１４ａ、上段部のユニットブロック１１ｂ、１２ｂ、１３ｂ、１４ｂを組み合わせることにより、平面視コ字状のかまど１が形成される。
【００２６】
下段部のユニットブロック１１、１２、１３、１４は、それぞれほぼ同じ構造を有しているので、詳細な構造は図１において向かって左側の側面壁１６の下段部を構成するユニットブロック１３について説明し、他のユニットブロック１１、１２、１４については、ユニットブロック１３と相違する部分についてのみ説明する。なお、相互に同一または同等箇所には同一の符号を付して示す。
【００２７】
ユニットブロック１３は、図２に示すように、軽量コンクリート製で外形がほぼ直方体形状（中抜き部を除いて）のブロック本体１０１を有している。ブロック本体１０１は、材料に軽量コンクリートが使用されているが、構造的にも中抜き部１０２を設けて軽量化を図っている。なお、ブロック本体１０１は軽量でなく普通のコンクリートでつくってもよい。
【００２８】
ブロック本体１０１の四側面のうち長手方向の一端面を除く三側面（他端面、外側面、内側面）には、化粧板である化粧タイル１０２が張設されている。化粧タイル１０２は、ブリックタイルといわれるもので、本実施の形態では煉瓦造り（煉瓦を目地材で接合して積み上げたもの）の表面を表したものを採用している。
【００２９】
化粧タイル１０２は、接着剤によってブロック本体１０１表面に接着されている。接着剤は、耐火セメント（各種アルミナセメント等）、珪砂、化学糊（例えばメトローズ：商標：信越化学工業株式会社）を所定の割合で混合したものである。上記接着剤に配合される珪砂は強度を上げるためのもので、化学糊は接着力を上げるためのものである。
【００３０】
下段部のユニットブロック１３においては、化粧タイル１０２の上部はブロック本体１０１の上面よりやや突出して設けてある。なお、後で詳しく説明するが、中段部のユニットブロック１１ａ、１２ａ、１３ａ、１４ａは、ブロック本体１０１の上下部が一部露出して露出部１０４が設けられるように化粧タイル１０２が上下方向に幅狭に設けてある。また、上段部のユニットブロック１１ｂ、１２ｂ、１３ｂ、１４ｂは、化粧タイル１０２の下部はブロック本体１０１の下面よりやや突出して設けてある。なお、上段部のユニットブロックには上面にも化粧タイル１０２が接着されている。
【００３１】
ユニットブロック１３の化粧タイル１０２のうち、かまど１の内部側に設定される部分の長手方向の両端側寄り二箇所には、後述する壁部固定部材２を係合させる係合凹部１０３が設けてある。（特に、拡大図である図４参照）
【００３２】
ここで、他の下段部のユニットブロック１１、１２、１４について説明する。
図１（図２）において右側の側面壁１７を構成するユニットブロック１４は、図２にも示すようにユニットブロック１３と左右対称型であり、実質的に同じ構造を有している。
【００３３】
図１（図２）において奥側の背面壁１５を構成するユニットブロック１１、１２は、図２に示すように、手前側の化粧タイル１０２の長さを短く形成し、長辺側の一端部にブロック本体１０１の側面が露出する部分が設けてあり、この露出面にユニットブロック１３、１４のうち化粧タイル１０２が設けられていない奥側の端面を接面させることができるようにしてある。
ユニットブロック１１、１２には、壁部固定部材２を係合させる係合凹部１０３が、ユニットブロック１３、１４が接面される側の一箇所に設けられている。
【００３４】
ユニットブロック１１、１２、１３、１４は、図２に示すように平面視コ字状につながるように設置箇所に配置され、各係合凹部１０３に下段部の壁部固定部材２の四隅部分を係合させる。
壁部固定部材２は、図２に示すように、金属製の棒体２１、２２、２３、２４をほぼ井桁状に組んで交差部を溶接した構造である。壁部固定部材２の四隅部分には、先部が下方へ向け垂直に折り曲げられた係合部２０が交差部から突出させて設けてある。
【００３５】
壁部固定部材２は、平面視コ字状に組み合わせられたユニットブロック１１、１２、１３、１４に図２に示すように装着したときに、係合部２０の折曲部の作用によりユニットブロック１３、１４が互いに離れる方向に動くのを止め、図２において奥行き方向に設けてある棒体２３、２４の作用によりユニットブロック１３、１４が互いに近づく方向に動くのを止めることができる。
また、係合部２０の折曲部の作用によりユニットブロック１１、１２がユニットブロック１３、１４と離れる方向に動くのを止めることができる。
これにより、ユニットブロック１１、１２、１３、１４は、図２に示す状態で実質的に固定される。
【００３６】
下段部のユニットブロック１１、１２、１３、１４の上には、中段部のユニットブロック１１ａ、１２ａ、１３ａ、１４ａが載置され着脱可能に組み合わせられる。ユニットブロック１１ａ、１２ａ、１３ａ、１４ａの三側面部に接着されている化粧タイル１０２は、上下方向に幅狭に設けられ、ブロック本体１０１の上下部を一部露出させた露出部１０４を有している。中段部のユニットブロック１１ａ、１２ａ、１３ａ、１４ａは、ブロック本体１０１下部の露出部１０４を下段部のユニットブロック１１、１２、１３、１４の突出した化粧タイル１０２の内面に嵌め入れて組み合わせられる。
【００３７】
また、中段部の壁部固定部材２ａの四隅部を係合させる係合凹部１０３は化粧タイル１０２ではなくブロック本体１０１の同様の位置に設けられている。ユニットブロック１１ａ、１２ａの長辺側の側面の一端側に化粧タイル１０２が設けられていない部分があるのは上記ユニットブロック１１、１２と同様である。
【００３８】
中段部の壁部固定部材２ａは、上記壁部固定部材２と同様に棒体２１、２２、２３、２４をほぼ井桁状に組んで交差部を溶接し、更に棒体２３、２４のそれぞれの両端部寄り（合計四箇所）に上方へ向けＬ字形状の載置部２５が設けてある。各載置部２５の上部は、熱源用受け部材３を安定して支えるために水平に設けてある。
中段部のユニットブロック１１ａ、１２ａ、１３ａ、１４ａの係合凹部１０３に係合される壁部固定部材２ａは、上記壁部固定部材２と同様に各ユニットブロック１１ａ、１２ａ、１３ａ、１４ａが動かないように止めることができる。
【００３９】
中段部のユニットブロック１１ａ、１２ａ、１３ａ、１４ａの上には、上段部のユニットブロック１１ｂ、１２ｂ、１３ｂ、１４ｂが載置され着脱可能に組み合わせられる。上段部のユニットブロック１１ｂ、１２ｂ、１３ｂ、１４ｂは、化粧タイル１０２の下部がブロック本体１０１の下面よりやや突出して設けてある。
【００４０】
上段部のユニットブロック１１ｂ、１２ｂ、１３ｂ、１４ｂは、ブロック本体１０１下部から突出した部分の内面を中段部のユニットブロック１１ａ、１２ａ、１３ａ、１４ａのブロック本体１０１の露出部１０４に嵌め入れて組み合わせられる。なお、上段部のユニットブロック１１ｂ、１２ｂ、１３ｂ、１４ｂには上面にも化粧タイル１０２が接着されており、各係合凹部１０３はこの上面側の化粧タイル１０２を切欠して設けてある。
【００４１】
上段部の壁部固定部材２ｂは、上記壁部固定部材２と同様に棒体２１、２２、２３、２４をほぼ井桁状に組んで交差部を溶接し、四隅部に係合部２０を設けた構造である。上段部のユニットブロック１１ｂ、１２ｂ、１３ｂ、１４ｂの係合凹部１０３に係合される壁部固定部材２ｂは、上記壁部固定部材２と同様に各ユニットブロック１１ｂ、１２ｂ、１３ｂ、１４ｂが動かないように止めることができる。
なお、上記下段部、中段部、上段部の各ユニットブロックを組み合わせたときには、上下方向の各接合部において、各段部のブロック本体１０１の上下面同士が密着するようになっており、広い面で支えることにより十分な耐荷重性を持たせている。
【００４２】
熱源用受け部材３は、鉄板を曲げてつくられており、その断面形状はほぼパルス波形状である。熱源用受け部材３には、この構造により幅方向の曲げに対する強度が付与されている。また、凹条部、凸条部が交互に複数設けられることにより、熱源用受け部材３に載せられる炭が燃焼するときに通気が確実に行われるようにして燃焼を助ける構造となっている。
また、熱源用受け部材３は、上面側から見て凹条部のうち両端部の裏面側を上記壁部固定部材２ａの載置部２５に嵌め入れるようにして装着される。
【００４３】
また、熱源用受け部材３は、図１に示すようにかまど１の上部開口部１０よりやや下方に設けられるようにしてあり、熱源用受け部材３及びそれを支持する壁部固定部材２ａは、植物を植栽したプランタを載置できる十分な強度を有している。
【００４４】
下段部、中段部、上段部の各ユニットブロックを組み合わせた構造のかまど１の上部開口部１０の縁部には、受装置５、５ａが着脱可能に設けてある。受装置５、５ａは対称型であり実質的に同様の構造であるので、一方の受装置５のみを詳細に説明する。なお、他方の受装置５ａについては受装置５と同一または同等箇所に同一の符号を付して示す。
【００４５】
受装置５は、下部側が上段部のユニットブロック１３ｂ、１４ｂを厚み方向に挟むように装着可能で取り外しも可能である。受装置５は、所要の間隔をおいて二箇所に金属製の受具５１、５２を有している。受具５１、５２の下部には、金属製の網体である調理用部材４を載せる載置部材５３が水平に設けてある。受具５１、５２の最上部には、食材を入れるトレーを載せる載置部材５４が水平に設けてある。
【００４６】
また、載置部材５３、５４の間には、食材を刺した串を挿し入れて受けるための管状の串受部材５５が上下二箇所に設けてある。各串受部材５５は垂直軸５６に水平方向に回動調整できるように取り付けてある。
なお、受具５１、５２に設けてあり、それぞれ対となる載置部材５３、５３及び載置部材５４、５４は同じ高さに設定してある。
そして、調理用部材４は、受装置５、５ａの全四箇所の載置部材５３に水平に載置される。なお、上記熱源用受け部材３と調理用部材４の間隔は、適量の炭を盛ることができるように設定されている。
【００４７】
（作　用）
図５は本発明に係る屋外用調理装置をガーデニング用器具として使用した状態を示す斜視図である。
図１ないし図５を参照して、本実施の形態に係る屋外用調理装置の作用を説明する。
【００４８】
屋外用調理装置Ａは、下段部、中段部、上段部のユニットブロックを相互に組み合わせて、背面壁１５と両側面壁１６、１７を有し前部側と上部側は開口しているかまど１をつくることができる。
ユニットブロックでつくられた背面壁１５と両側面壁１６、１７は、壁部固定部材２、２ａ、２ｂによって倒れたりずれることがないように固定できるので安全である。
そして、バーベキュー等の調理をする際は、かまど１内部に設けた熱源用受け部材３に炭や薪を載せて燃焼させて調理用の熱源とし、熱源用受け部材３の上方にある調理用部材４によって食材を調理する。
【００４９】
受装置５、５ａによれば、調理の際、各載置部材５４に食材を入れたトレーを載せることができるので、便利である。また、串受部材５５に食材を刺した串を挿しておけば串を手に持たずに調理できるので便利である。また、各載置部材５３に載置される調理用部材４はの取り替えや掃除も簡単にできる。このように、受装置５、５ａは調理をする際の使い勝手をよくすることができる。
【００５０】
このように、屋外用調理装置Ａは、煉瓦造りの外観を有するユニットブロックの採用によって煉瓦を積んでつくった固定設置型の調理装置のように復古調の趣ある外観を有しており、単に鉄板でつくったような安っぽさや味気なさはない。
また、このような外観を有しながら上記構造により分解組み立てが可能であり、分解した状態では比較的容易に運搬できるので、必要なときに庭やキャンプ等地で組み立てて使用することができる。また、冬季等使用しない時季には、邪魔にならないように倉庫等に保管することができる。
【００５１】
また、屋外用調理装置Ａは、調理装置として使用しない時季において、必ずしも分解して保管する必要はなく、図５に示すようにガーデニング用器具として利用することもできる。
すなわち、背面壁１５を鑑賞する側に向けて設置し、受装置５、５ａを取外し、かまど１の上部開口部１０よりやや下方に設けられている熱源用受け部材３の上に花Ｆ等の植物を植栽したプランタＰを載置して鑑賞することができる。このように、屋外用調理装置Ａを調理装置としてを使用しない時季においても、組み立てたまま庭等に置いておき、植物を植栽したプランタを載せてガーデニング用器具として利用することが可能であるので、保管する手間がかからず、保管用のスペースも必要ない。
【００５２】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００５３】
【発明の効果】
本発明は上記構成を備え、次の効果を有する。
（ａ）本発明に係る屋外用調理装置は、ユニットブロックを相互に組み合わせて、背面壁と両側面壁を有し前部側と上部側は開口しているかまどをつくることができる。ユニットブロックでつくられた背面壁と両側面壁は、壁部固定手段によって倒れたりずれることがないように固定でき、安全である。そして、かまど内部に設けた熱源用受け部材に炭や薪を載せて燃焼させて調理用の熱源とし、熱源用受け部材の上方にある調理用部材によって食材を調理することができる。
【００５４】
（ｂ）屋外用調理装置は、ブロック本体の表面に化粧板を張った煉瓦造りの外観を持たせることにより、かまどをつくったときの外観が煉瓦造りに見えるので、屋外用調理装置に対し、煉瓦造り特有の存在感と復古調のより趣ある雰囲気を与えることができ、鉄板でつくったような安っぽさはない。
【００５５】
（ｃ）屋外用調理装置は、従来の固定設置型の調理装置のように復古調の外観を有しながら分解組み立てが可能であり、分解した状態では比較的容易に運搬できるので、必要なときに庭やキャンプ等地で組み立てて使用することができる。また、冬季等使用しない時季には、邪魔にならないように倉庫等に保管することができる。
【００５６】
（ｄ）ユニットブロックでかまどをつくったときの上部開口部縁部に着脱可能で、トレーを載せる載置部と、調理用部材を載せる載置部と、食材を刺した串を受けるための串受部のうち、何れか一つまたは複数を備えている受装置を有するものは、食材を盛ったトレーを置いたり、串を手に持たずに調理できたり、調理用部材の取り替えや掃除も簡単にできるので、調理をする際の使い勝手にすぐれている。
【００５７】
（ｅ）熱源用受け部材は、ユニットブロックでかまどをつくったときの上部開口部よりやや下方に設けられるようにしてあり、熱源用受け部材及びそれを支持する部分は、植物を植栽したプランタを載置できる強度を有しているものは、例えば屋外用調理装置を使用しない時季においても、組み立てたまま庭等に置いておき、植物を植栽したプランタを載せて植栽物である花等を飾ることができるので、ガーデニング用器具として利用することもできる。この場合は、調理装置として使用しない時季にも保管する手間がかからず、保管用のスペースも必要ない。
【図面の簡単な説明】
【図１】本発明に係る屋外用調理装置の一実施の形態を示す斜視図。
【図２】屋外用調理装置の下段部を組み立てた状態を示す説明図。
【図３】屋外用調理装置の中段部まで組み立てた状態を示す説明図。
【図４】固定部材の係合構造を示す説明図。
【図５】本発明に係る屋外用調理装置をガーデニング用器具として使用した状態を示す斜視図。
【符号の説明】
Ａ　屋外用調理装置
１　かまど
１０　上部開口部
１１、１２、１３、１４　ユニットブロック（下段部）
１１ａ、１２ａ、１３ａ、１４ａ　ユニットブロック（中段部）
１１ｂ、１２ｂ、１３ｂ、１４ａ　ユニットブロック（上段部）
１０１　ブロック本体
１０２　化粧タイル
１０３　係合凹部
１０４　露出部
１５　背面壁
１６、１７　側面壁
２、２ａ、２ｂ　壁部固定部材
２０　係合部
２１、２２、２３、２４　棒体
２５　載置部
３　熱源用受け部材
４　調理用部材
５、５ａ　受装置
５１、５２　受具
５３、５４　載置部材
５５　串受部材
５６　垂直軸
Ｆ　花
Ｐ　プランタ
【図１】
2004073679.tif 000003
【図２】
2004073679.tif 000004
【図３】
2004073679.tif 000005
【図４】
2004073679.tif 000006
【図５】
2004073679.tif 000007
【手続補正書】
【提出日】平成14年8月21日(2002.8.21)
【手続補正１】
【補正対象書類名】明細書
【補正対象項目名】００２７
【補正方法】変更
【補正の内容】
【００２７】
ユニットブロック１３は、図２に示すように、軽量コンクリート製で外形がほぼ直方体形状（中抜き部を除いて）のブロック本体１０１を有している。ブロック本体１０１は、材料に軽量コンクリートが使用されているが、構造的にも中抜き部を設けて軽量化を図っている。なお、ブロック本体１０１は軽量でなく普通のコンクリートでつくってもよい。